(57)【要約】      （修正有）【課題】水、温水等を屋根の棟に近い部分に集中的に散水するコンパクトな構成の融雪用散水装置を提供する。【解決手段】給水された水を導く給水パイプ２と、その両端部に取り付けられ給水パイプ２の延長方向の屋根面上に帯状に散水させる一対の第１の噴射ノズル３ａ、３ｂと、給水パイプ２の中央部側面の棟側に水平に突出して取り付けられ、給水パイプ２の伸びる方向側両側面より給水パイプ２に沿った屋根面上に水を帯状に散水させる第２の噴射ノズル４を備えて構成する。第２の噴射ノズル４の両側には給水パイプに沿ってＬ形アングル材５ａ、５ｂをＬ形開口を棟側に向けて取り付け、Ｌ形アングル材５ａ、５ｂのＬ形内面の下側内面上にはＬ形アングル材５ａ、５ｂの内面に当たった水が給水パイプ２の端方向に流れるのを邪魔するストッパ部材１４を取り付けるのが好ましい。【選択図】図１
0003176288.tif 000002
【実用新案登録請求の範囲】
【請求項１】
給水された水、温水等を屋根の棟近くに散水するため棟近くの屋根面上に棟に平行に設置して使用する融雪用散水装置であって、
給水された水を導く水平な給水パイプと、
該給水パイプの両端部に取り付けられ、複数の水噴射孔を有して給水された水を水パイプの延長方向の屋根面上に帯状に散水されるよう噴射する一対の第１の噴射ノズルと、
前記給水パイプの中央部側面から棟側に水平に突出して取り付けられ、給水パイプの伸びる方向側両側面に複数の水噴射孔を有して給水された水を給水パイプに沿った屋根面上に帯状に散水されるよう噴射する第２の噴射ノズルと、を備えることを特徴とする融雪用散水装置。
【請求項２】
請求項１に記載の融雪用散水装置において、前記第２の噴射ノズルと前記給水パイプの両端部との間の給水パイプの側面には一対のＬ形アングル材がＬ形開口を棟側の水平方向に向けて取り付けてあり、第２の噴射ノズルから噴射された水は該Ｌ形アングル材の内面に当たって屋根上に流れ落ちるようにしてあることを特徴とする融雪用散水装置。
【請求項３】
請求項２に記載の融雪用散水装置において、前記各Ｌ形アングル材のＬ形開口の下側内面上には、前記Ｌ形アングル材の内面に当たった水が給水パイプの端方向に流れるのを邪魔するストッパ部材が数カ所に取り付けてあることを特徴とする融雪用散水装置。
【考案の詳細な説明】
【技術分野】
【０００１】
本考案は、屋根に積もった雪を溶かすために給水された水、温水等を屋根の棟に近い部分に噴射、散水する融雪用散水装置に関する。
【背景技術】
【０００２】
降雪量の多い地域においては冬季に屋根に積もった雪の雪下ろしが不可欠である。人手による雪下ろし作業は多大な労力を必要とする上、滑落の危険も伴うため高齢化の進んだ地域では深刻な問題になっている。対策として人手に頼らない融雪方法が各種提案されており、代表的なものとして屋根に積もった雪の上に水や温水等を散水して溶かす方法がある。
【０００３】
例えば、特許文献１、２、３には雨水や融雪水を貯水槽に導入し、その水をそのまま、あるいは加熱した上で屋根上に揚水し、多数の孔を設けた散水管にて散水して消雪する循環式消雪装置が提案されている。また、特許文献４には水道水を加熱してスプリンクラーにて屋根のほぼ全面に散水するスプリンクラー式屋根消雪装置が提案されている。
【０００４】
屋根は一般に広い。そこに積もった雪に散水する散水装置はコンパクトな構成が望ましい。スプリンクラーはコンパクトではあるが屋根の外にまで散水して水を無駄にする上、屋根上の各部の散水量を制御しにくい問題がある。特許文献３の方法は屋根の全幅に渡る散水管を棟に平行に複数本取り付けて散水する。この方法は屋根の各部に所望の水量を散水できる利点があるが散水管の全長が長く、大掛かりになる問題がある。特許文献１、２の方法は、屋根の棟の両側に各１本の散水管を棟に平行に設置するのみであるが、その長さは屋根の全幅に渡るため棟の長い屋根では長い散水管を必要とする問題がある。
【先行技術文献】
【特許文献】
【０００５】
【特許文献１】特開２００５−８３１８０号公報
【特許文献２】実用新案登録第３１２７６８８号公報
【特許文献３】実用新案登録第３１３２６８７号
【特許文献４】特開平６−１９３３１０号公報
【考案の開示】
【考案が解決しようとする課題】
【０００６】
本考案は、従来技術のこうした問題点を解決するためになされたもので、その課題は屋根上の雪を融雪するために給水された水、温水等を屋根の棟に近い部分に集中的に散水するコンパクトな構成の融雪用散水装置を提供することにある。
【課題を解決するための手段】
【０００７】
前記課題を解決するための請求項１に記載の考案は、給水された水、温水等を屋根の棟近くに散水するため棟近くの屋根面上に棟に平行に設置して使用する融雪用散水装置であって、給水された水を導く水平な給水パイプと、該給水パイプの両端部に取り付けられ、複数の水噴射孔を有して給水された水を水パイプの延長方向の屋根面上に帯状に散水されるよう噴射する一対の第１の噴射ノズルと、
前記給水パイプの中央部側面から棟側に水平に突出して取り付けられ、給水パイプの伸びる方向側両側面に複数の水噴射孔を有して給水された水を給水パイプに沿った屋根面上に帯状に散水されるよう噴射する第２の噴射ノズルと、を備えることを特徴とする融雪用散水装置である。
【０００８】
このような構成によれば融雪用散水装置は給水パイプ両端に取り付けた第１の噴射ノズルが給水パイプの延長方向の離れた位置にまで帯状に散水し、第２の噴射ノズルは給水パイプに沿った屋根部分に帯状に散水する。このため従来の方法のように屋根の全幅に渡る長い散水管を必要としない。融雪用散水装置の左右長さは屋根の全幅の１／３〜１／２で済むため幅の広い屋根に積もった雪の融雪用に好適である。
【０００９】
また、請求項２に記載の考案は、請求項１に記載の融雪用散水装置において、前記第２の噴射ノズルと前記給水パイプの両端部との間の給水パイプの側面には一対のＬ形アングル材がＬ形開口を棟側の水平方向に向けて取り付けてあり、第２の噴射ノズルから噴射された水は該Ｌ形アングル材の内面に当たって屋根上に流れ落ちるようにしてあることを特徴とする融雪用散水装置である。
【００１０】
このような構成によれば融雪用散水装置の中央部の第２の噴射ノズルから左右方向に噴射された水はＬ形アングル材の内面に当たって下方に流れ落ち、不必要な方向への水の飛散が防止される。
【００１１】
また、請求項３に記載の考案は、請求項２に記載の融雪用散水装置において、各Ｌ形アングル材のＬ形開口の下側内面上には、Ｌ形アングル材の内面に当たった水が給水パイプの端方向に流れるのを邪魔するストッパ部材が数カ所に取り付けてあることを特徴とする融雪用散水装置である。
【００１２】
このような構成によれば融雪用散水装置の中央部の第２の噴射ノズルから左右方向に噴射され、Ｌ形アングル材の内面に当たって給水パイプの端方向に流れようとする水の流れはストッパ部材に邪魔されて下方に流れを変える。Ｌ形アングル材から下方に流れ落ちた水は、その流路に積もっている雪を溶かしながら屋根の勾配を下って流れる。これによりＬ形アングル材の下方の屋根に積もった雪が効果的に融雪される。
【図面の簡単な説明】
【００１３】
【図１】融雪用散水装置の斜視図である。
【図２】融雪用散水装置の正面図である。
【図３】融雪用散水装置の右側面図である。
【図４】一対の融雪用散水装置を屋根の上に設置した状態の側面図である。
【図５】融雪用散水装置が水を噴射している状態図である。
【図６】融雪用散水装置が屋根の上で散水している状態の全体図である。
【考案を実施するための形態】
【００１４】
以下、本考案に係る融雪用散水装置を実施するための一形態を図面を参照して説明する。図１は本考案に係る融雪用散水装置１の斜視図、図２は融雪用散水装置１の正面図、図３は融雪用散水装置１の右側面図である。融雪用散水装置１は給水パイプ２、一対の第１の噴射ノズル３ａ、３ｂ、第２の噴射ノズル４、一対のＬ形アングル材５ａ、５ｂを備えて構成されている。
【００１５】
給水パイプ２は屋根上に積もった雪を融雪するための水を第１の噴射ノズル３ａ、３ｂ、第２の噴射ノズル４に導くための中空パイプである。本実施形態では給水パイプ２に角形の中空パイプを使用している。給水パイプ２には融雪用散水装置１に必要な各種部品が取り付けられ、それら部品を支持する支持部材としても機能する。融雪用散水装置１は、後述するように棟近くの屋根上に給水パイプ２を棟に平行にして設置される。本実施形態の融雪用散水装置１は、通常、２式が一組として棟に沿って設置される。図４は屋根１３の上に設置した状態の側面図である。給水パイプ２の棟とは反対側の側面には、パイプ、ホース等を介して融雪用の水の供給を受けるための接続口７が設けられている。融雪用の水としては、地下水、融雪で得られた水、それらを温めた温水等が用いられ、接続口７を通して給水パイプ２に供給される。
【００１６】
給水パイプ２の左右両端部には一対の第１の噴射ノズル３ａ、３ｂが取り付けられている。第１の噴射ノズル３ａ、３ｂには、給水された水を給水パイプ２の延長方向に当たる屋根面上に帯状に散水するための複数の水噴射孔９が設けられている。この第１の噴射ノズル３ａ、３ｂは、給水パイプ２の左右両端の上面側に突出する形で取り付けてもよい。
【００１７】
給水パイプ２の中央部の棟側側面には、第２の噴射ノズル４が水平方向に突出して取り付けてある。突出した第２の噴射ノズル４の給水パイプ２の両端方向に向かう両側面には、給水された水を給水パイプ２に沿った屋根面上に帯状に散水するための複数の水噴射孔１０が設けられている。
【００１８】
更に、第２の噴射ノズル４の左右両側には、一対のＬ形アングル材５ａ、５ｂが給水パイプ２に沿って取り付けられている。Ｌ形アングル材５ａ、５ｂは、Ｌ形開口を棟側の水平方向に向けた姿勢で給水パイプ２に支持具１２ａ、１２ｂにより取り付けられている。Ｌ形アングル材５ａ、５ｂは給水パイプ２の両端部まで伸びている。Ｌ形アングル材５ａ、５ｂは、第２の噴射ノズル４から噴射された水が不必要な方向に飛び散るのを防ぐ。噴射された水はＬ形アングル材５ａ、５ｂの内面に当たってＬ形アングル材５ａ、５ｂが存在する間の屋根上に流れ落ちる。
【００１９】
この効果を更に高めるためＬ形アングル材５ａ、５ｂのＬ形内面の下側内面上には、Ｌ形アングル材５ａ、５ｂの内面に当たった水が給水パイプ２の端方向に流れてしまうのを邪魔するためのストッパ部材１４が数カ所に取り付けてある。ストッパ部材１４の取り付け位置、第２の噴射ノズル４の水噴射孔１０の孔径、孔角度、水圧を調整することにより、噴射された水がＬ形アングル材５ａ、５ｂが存在する間の屋根上に均等に流れ落ちるようにする。
【００２０】
前述したように融雪用散水装置１は、通常、２式が一組として図４に示したように棟に沿って設置される。融雪用散水装置１の給水パイプ２の上面側には、図１、図３に示すように他方の融雪用散水装置１と接続するための「く」字状金具１５が左右一対取り付けてある。金具１５の先には丸孔１６が設けてあり、その部分にボルトを挿入して他方の融雪用散水装置１と連結する。ボルトに代えて、その部分に蝶番を取り付けて連結してもよい。金具１５の取り付け位置に対抗する給水パイプ２の下面側には左右一対の脚１７が取り付けてある。その先端には緩衝用のゴム１８が取り付けてある。連結した一対の融雪用散水装置１は、図４に示すように棟１９を跨ぐように設置する。
【００２１】
図５は融雪用散水装置１が水を噴射している状態を正面側から見た右半分について示したものである。図６は屋根１３の上で散水している状態の全体図である。融雪用散水装置１の右端の第１の噴射ノズル３ａから噴射された水は給水パイプ２の延長方向の屋根面上に帯状に落下してその部分の雪を溶かす。噴射された水と融雪で生じた水は屋根の勾配を下って流れ、流路に積もった雪を溶かしていく。融雪用散水装置１の中央部の第２の噴射ノズル４から左右方向に噴射された水は、Ｌ形アングル材５ａ、５ｂの内面に当たって下方に流れ落ちる。給水パイプ２の端方向に流れようとする水はストッパ部材１４に邪魔されて下方に流れを変える。Ｌ形アングル材５ａ、５ｂから下方に流れ落ちた水は、流路に積もった雪を溶かしながら屋根の勾配を流れ下る。このようにして第１の噴射ノズル３ａ、３ｂ、第２の噴射ノズル４から噴射された水は屋根に積もった雪全体を溶かしていく。
【００２２】
本実施形態の融雪用散水装置１は、給水パイプ２の両端に取り付けた第１の噴射ノズル３ａ、３ｂが給水パイプ２の延長方向の離れた位置にまで帯状に散水し、第２の噴射ノズルは給水パイプに沿った屋根部分に帯状に散水する。このため従来の方法のように屋根の全幅に渡る長い散水管を必要としない。融雪用散水装置１の左右長さは屋根の全幅の１／３〜１／２で済む。従って、幅の広い屋根に積もった雪の融雪用に好適である。なお、Ｌ形アングル材５ａ、５ｂ、ストッパ部材１４は必須の構成部品ではなく、それらを省いた構成でも融雪効果は発揮される。
【符号の説明】
【００２３】
図面中、１は融雪用散水装置、２は給水パイプ、３ａ、３ｂは第１の噴射ノズル、４は第２の噴射ノズル、５ａ、５ｂはＬ形アングル材、９、１０は水噴射孔、１４はストッパ部材を示す。
【図１】
0003176288.tif 000003
【図２】
0003176288.tif 000004
【図３】
0003176288.tif 000005
【図４】
0003176288.tif 000006
【図５】
0003176288.tif 000007
【図６】
0003176288.tif 000008